(57)【要約】【課題】  タイトフレーム上での係止部材の安定性を向上するとともに、係止部材を正確な位置に固定できるようにすること。【解決手段】  帯状の金属板を折曲して形成され、下地材１２上に固定される水平の固定部１７から、山形をなす山形部１８を上方へ延設したタイトフレーム１５と、該タイトフレーム１５の山形部１８の頂部に固定されて屋根板１４を係止固定する係止部材１６とを有し、上記タイトフレーム１５の山形部１８における頂部の左右方向の一方側には、屋根板１４を受ける受け部１９を設け、他方側には、上記係止部材１６を上下方向に締め付けて固定すべく上記受け部１４よりも低い係止部材固定部２０を設けた屋根板取付け金具１３であって、上記係止部材固定部２０における反受け部側の部位に、固定される係止部材１６の端部位置を規制すべく隆起する規制部２２を形成し、該規制部２２の高さを、上記受け部１９の高さよりも低く設定した屋根板取付け金具１３。【選択図】    図３
2005264648.tif 000002
【特許請求の範囲】
【請求項１】
帯状の金属板を折曲して形成され、下地材上に固定される水平の固定部から、山形をなす山形部を上方へ延設したタイトフレームと、該タイトフレームの山形部の頂部に固定されて屋根板を係止固定する係止部材とを有し、上記タイトフレームの山形部における頂部の左右方向の一方側には、屋根板を受ける受け部を設け、他方側には、上記係止部材を上下方向に締め付けて固定すべく上記受け部よりも低い係止部材固定部を設けた屋根板取付け金具であって、
上記係止部材固定部における反受け部側の部位に、固定される係止部材の端部位置を規制すべく隆起する規制部を形成し、
該規制部の高さを、上記受け部の高さよりも低く設定した
屋根板取付け金具。
【請求項２】
前記係止部材における前記規制部の上方位置に、タイトフレームの前記受け部と面一の高さになる第２受け部を形成した
請求項１に記載の屋根板取付け金具。
【請求項３】
前記係止部材における第２受け部の下に、タイトフレームに対して固定された時に規制部に対して上から当接する当接部を垂設した
請求項２に記載の屋根板取付け金具。
【請求項４】
前記係止部材を、上端に屋根板との係止を行う係止縁を有するとともに、下端に係止部材固定部に対して接地し締め付けられる被締結部を有した吊子と、該吊子の被締結部に対して上から載置される補助金具とで構成した
請求項１から請求項３のうちのいずれか一項に記載の屋根板取付け金具。
【請求項５】
前記請求項１から請求項４のうちのいずれか一項に記載の屋根板取付け金具を用いた
屋根。
【発明の詳細な説明】
【技術分野】
【０００１】
この発明は、金属製の屋根板を下地材上に取り付けるための屋根板取付け金具であって、より詳しくは、下地材の上に固定されるタイトフレームと、該タイトフレーム上に固定される係止金具との結合が強固に行えるような屋根板取付け金具に関する。
【背景技術】
【０００２】
タイトフレームを用いた屋根板取付け金具には、図１０に示したようなものがある（例えば、下記特許文献１等参照）。
【０００３】
この屋根板取付け金具１０１のタイトフレーム１０２は、帯状の金属板を折曲して形成され、下地材１０３上に固定される固定部１０４と、これら固定部１０４間において上方へ延設されて山形をなす山形部１０５とからなる。そして山形部１０５の頂部１０６は、左右方向の一方（図面左側）を高く、他方（図面右側）をそれよりも低く形成して、高い方を、屋根板１０７を受ける受け部１０８に、低い方を、係止部材としての吊子１０９を固定するための吊子固定部１１０に設定している。吊子固定部１１０は水平に形成され、吊子１０９は、タイトフレーム１０２に固定されたボルト１１１と、このボルト１１１に対して上から螺合するナット１１２で締め付けて固定される。
【０００４】
しかし、このような屋根板取付け金具１０１を用いて屋根板１０７の取付けを行う場合、作業員は屋根板１０７の上に乗り、屋根板１０７を踏み付けるため、吊子１０９には大きな荷重が掛かる。荷重は、下に向けての荷重のほかに、左右方向にもかかる。吊子１０９には、屋根板取付け作業において吊子１０９の上端の係止縁１０９ａを屋根板１０７の上端縁１０７ａに係止してからタイトフレーム１０２に対し固定する必要がある関係上、ボルト１１１を通す孔１１３を左右方向に長い長孔で形成しているので、左右方向に荷重がかかれば、吊子１０９は左右方向にすべる可能性がある。にもかかわらず、上述のように吊子１０９は、ボルト１１１ナット１１２による締め付けだけで固定されているので、吊子１０９のすべりを阻止して安定した固定状態を維持するのは、実質的にボルト１１１ナット１１２による締め付け力に掛かっており、締め付け不良があった場合や緩みが発生した場合には、屋根板の取付け強度が低下してしまうおそれがある。
【０００５】
また、上述のように吊子１０９には左右方向に長い長孔が形成されているので、吊子の固定作業が所望通りにきっちりと行われない場合、吊子の左右方向での位置が締め付け時にずれる可能性がある。吊子の位置が左右方向にずれていた場合には、屋根板を固定した後に、屋根板の馳締め部が一直線にならずうねってしまい、外観上見劣りがする難点がある。
【０００６】
さらに、屋根板１０７の取付け作業で作業員が屋根板１０７を踏み付けるわけであるが、タイトフレーム１０２の吊子固定部１１０側には、屋根板１０７を受ける受けがなく、例えば図１０に仮想線で示したように、屋根板１０７が変形することがある。屋根板１０７が変形すれば、その部分に傷ができて、腐蝕を招来する事になってしまう。
【０００７】
【特許文献１】特許第３１２０１７３号公報
【発明の開示】
【発明が解決しようとする課題】
【０００８】
そこでこの発明は、タイトフレーム上での係止部材の安定性を向上するとともに、係止部材を正確な位置に固定できるようにすることを主たる課題とする。また、屋根板の固定に際して屋根板に傷ができることを阻止できるようにすることを課題とする。
【課題を解決するための手段】
【０００９】
そのための手段は、帯状の金属板を折曲して形成され、下地材上に固定される水平の固定部から、山形をなす山形部を上方へ延設したタイトフレームと、該タイトフレームの山形部の頂部に固定されて屋根板を係止固定する係止部材とを有し、上記タイトフレームの山形部における頂部の左右方向の一方側には、屋根板を受ける受け部を設け、他方側には、上記係止部材を上下方向に締め付けて固定すべく上記受け部よりも低い係止部材固定部を設けた屋根板取付け金具であって、上記係止部材固定部における反受け部側の部位に、固定される係止部材の端部位置を規制すべく隆起する規制部を形成し、該規制部の高さを、上記受け部の高さよりも低く設定した屋根板取付け金具であることを特徴とする。
【００１０】
すなわち、係止部材をタイトフレームの係止部材固定部に対して、上下方向に締め付けて固定したとき、係止部材は規制部によって左右方向での位置を規制され、係止部材を所定の位置に正確に保持できるとともに、締め付けのための手段にかかる負荷を低減できる。
【００１１】
また、規制部の高さは、屋根板を受ける受け部の高さよりも低いので、係止部材をタイトフレームに固定する時には、係止部材を傾けることができ、係止部材をタイトフレーム上に固定する作業は容易に行える。
【００１２】
上記係止部材における上記規制部の上方位置に、タイトフレームの上記受け部と面一の高さになる第２受け部を形成するもよい。係止部材固定部側においても屋根板を支持し、屋根板の変形、傷付きを阻止することができる。
【００１３】
この場合には、上記係止部材における第２受け部の下に、タイトフレームに対して固定された時に規制部に対して上から当接する当接部を垂設するとよい。第２受け部に掛かる荷重を、当接部を介してタイトフレームで支持するので、耐力を向上できる。
【００１４】
上記係止部材を、上端に屋根板との係止を行う係止縁を有するとともに、下端に係止部材固定部に対して接地し締め付けられる被締結部を有した吊子と、該吊子の被締結部に対して上から載置される補助金具とで構成すもよい。吊子の被締結部は、補助金具で押え付けられて強力に固定されるので、負圧にも強い固定状態が得られる。またこの場合、補助金具に上記第２受け部や当接部を形成するとよい。
【００１５】
別の手段は、上記屋根板取付け金具を用いた屋根であることを特徴とする。
【発明の効果】
【００１６】
以上のようにこの発明によれば、タイトフレームの係止部材固定部における反受け部側の部位に、固定される係止部材の端部位置を規制すべく隆起する規制部を形成しているので、係止部材の左右方向での位置を所望通りに設定できるとともに、左右方向での位置ずれを阻止できる。
【００１７】
このため、吊子を正確な位置に固定できるので、屋根板を取付けた時に屋根板の馳締め部を真っ直ぐにすることができ、外観を良好にできる。
【００１８】
しかも、規制部が係止部材の左右方向での位置ずれを阻止するため、係止部材の固定のための手段に掛かる負荷を低減できる。換言すれば、係止部材に掛かる荷重を分担して支持できるので、固定強度を向上し、係止部材の安定性を良好にできる。
【００１９】
また、タイトフレームに形成する規制部の高さを、受け部の高さよりも低く設定しているので、係止部材をタイトフレームに対して固定する時に、係止部材を傾けた状態で係止部材固定部に載せることができる。このため、固定作業は容易に行える。
【００２０】
係止部材におけるタイトフレームの規制部の上方位置に、タイトフレームの受け部と面一の高さになる第２受け部を形成した場合には、屋根板を受ける受け部とは反対側の係止部材固定部側においても屋根板を受けることができる。このため、屋根板取付け作業時に屋根板を踏み付けても屋根板が変形することを阻止し、屋根板の傷付き、腐蝕を防止できる。
【００２１】
係止部材と屋根板との係止の方法には、馳締め部を変形させるほか、前記特許文献１に開示されている屋根のように、屋根板の馳締め部を、上から踏み付けることでばね性を利用して固定するものもあるが、このように上から積極的に踏み付けて屋根板の係止を行う場合に採用すれば、より際立った効果を認識できる。
【００２２】
また、上記第２受け部の下に、タイトフレームに対して固定された時に規制部に対して上から当接する当接部を垂設した場合には、屋根板を通して掛かる荷重を第２受け部のみではなく、当接部を介してタイトフレームで受けることができるので、強度を高めることができるとともに、係止部材を締め付けている手段に対する負荷も低減できる。
【００２３】
係止部材を、吊子と、該吊子の被締結部に対して上から載置される補助金具とで構成すると、係止部材を吊子のみで構成する場合とは異なり、補助金具に、上記第２受け部や当接部を形成することができる。つまり、吊子と補助金具の役割を分担することができて、各部材の厚みや形状等を自由に設定して、強度やコスト等において所望の状態の屋根板取付け金具を得ることができる。
【００２４】
また、このような屋根板取付け金具を用いて形成した屋根は、屋根板取付け金具が上述のような作用・効果を達成するので、強度が高く外観美麗な屋根となる。
【発明を実施するための最良の形態】
【００２５】
この発明を実施するための一形態を、以下図面を用いて説明する。  
図１は、屋根１１の構造を示す説明図であり、この図に示すように屋根１１は、Ｈ鋼等の下地材１２の上に固定された屋根板取付け金具１３（以下、取付け金具という）で屋根板１４を固定して構成される。
【００２６】
取付け金具１３は、下地材１２に対して固定されるタイトフレーム１５と、該タイトフレーム１５に固定されて屋根板１４を係止固定する係止部材１６とからなる。
【００２７】
タイトフレーム１５は帯状の金属板を折曲して形成され、下地材１２上に固定される水平の固定部１７から、山形をなす山形部１８を上方へ延設した形状で、図示例のタイトフレーム１５では、山形部１８を２つ有し、固定部１７を３つ有したニ連タイプの形状である。
【００２８】
そして、山形部１８の頂部における左右方向の一方側（図面左側）には、図２、図３に示したように、取付ける屋根板１４を受ける受け部１９を形成し、他方側（図面右側）には、上記係止部材１６を上下方向に締め付けて固定すべく上記受け部１９よりも低い係止部材固定部２０を形成している。これら受け部１９と係止部材固定部２０との間は略垂直の連結部２１で連結されている。
【００２９】
また、上記係止部材固定部２０の反受け部側の端部に、固定される係止部材１６の端部位置を規制すべく隆起する規制部２２を形成している。この規制部２２は、係止部材固定部２０から見て上記受け部１９よりも低く形成し、上面を平坦に形成している。
【００３０】
係止部材固定部２０の中央部には、係止部材１６を固定するために、先端側を上に向けたボルト２３をカシメ固定している。
【００３１】
図中２４は、補強用のリブであり、タイトフレーム１５の幅方向の中間部を、固定部１７においては上へ凸に、山形部１８においては下へ凸に、タイトフレーム１５の長さ向の全体にわたって形成されている。
【００３２】
上記係止部材１６は、吊子２５と補助金具２６とで構成される。  
吊子２５は、全体として正面視略Ｌ字状に形成され、上端に、屋根板１４との係止を行う係止縁２７を有するとともに、垂直な垂直部２８を介して、下端に、上記係止部材固定部２０に対して接地し締め付けられる被締結部２９を有した形状に、金属板で形成されている。
【００３３】
被締結部２９の左右方向の長さは、タイトフレーム１５の上記係止部材固定部２０に嵌合対応する長さに形成され、反垂直部側の端縁には、垂直部２８と対向するとともに、タイトフレーム１５に固定した時に規制部２２の側面に当接する端縁部３０を立設している。
【００３４】
また、被締結部２９の中央部には、左右方向に長い長孔２９ａを形成するとともに、前後方向の端縁には、方形状の耳部３１，３１を延設している。この耳部３１は、上方へ逆Ｌ字状に折り返されて、吊子２５を補助金具２６と一体にするために利用される。
【００３５】
補助金具２６は、吊子２５の被締結部２９に対して上から載置されるもので、吊子２５よりも厚みの厚い金属板を折曲して形成している。その形状は、吊子２５の上記垂直部２８の下側部分に重合する垂直重合部３２と、上記被締結部２０に重合する水平重合部３３と、上記端縁部３０に重合して立ち上がる立ち上がり重合部３４と、該立ち上がり重合部３４の上端から外側へ向けて水平に張り出す第２受け部３５と、該第２受け部３５から下へ延びるとともに、タイトフレーム１５に対する固定時に上記規制部２２上面に当接する当接部３６とを有したものである。
【００３６】
上記第２受け部３５の上下方向の位置、すなわち高さは、タイトフレーム１５に対して固定した時に、タイトフレーム１５の受け部１９と面一になる高さであって、取付ける屋根板１４を受け、掛かる荷重を支えられる高さである。
【００３７】
また、上記水平重合部３３には、吊子２５に形成した長孔２９ａと同一形状の長孔３３ａを形成している。
【００３８】
図中３７は、補強用のリブであって、そのリブ３７に対応する位置には、図示はしないが、同様のリブが吊子２５にも形成されている。
【００３９】
この補強金具２６は、吊子２５の上に重合したあと、吊子２５の上記耳部３１が折り曲げられることで、吊子２５に一体化される。
【００４０】
このように構成されたタイトフレーム１５と係止部材１６を有する取付け金具１３は、次のように使用される。
【００４１】
下地材１２上の所定位置にタイトフレーム１５の固定部１７を溶接等で固定する。続いて、屋根板１４をタイトフレーム１５の上に乗せる。このとき、図１に示したように、係止部材１６はタイトフレーム１５から分離された状態である。そして、タイトフレーム１５の山形部１８の一方側、つまり受け１９を有する側に乗せられた屋根板１４の一方側の上端縁１４ａに、係止部材１６の吊子２５の係止縁２７を係止してから、係止部材１６をタイトフレーム１５の係止部材固定部２０に固定する。
【００４２】
すなわち、係止部材１６を係止部材固定部２０に対して降ろし、係止部材１６の長孔２９ａ，３３ａをボルト２３に嵌挿するわけであるが、このとき、係止部材固定部２０の隆起部２２は、受け部１９よりも低く形成されているので、係止縁２７を屋根板１４の上端縁に係止した係止部材１６は、傾けても係止部材固定部２０に乗せることが可能で、図４に矢印で示したように、図面上時計回りに姿勢を回転させながら乗せると、係止部材１６の端部位置は、規制部２２の側面部にぴたっと当接し、左右方向に位置規制された状態で取付けられる。この状態でボルト２３対してナット３８を螺合し、上下方向に締め付けて固定する。吊子２５と補助金具２６とからなる係止部材１６は一体であるので、取付け作業は簡単である。
【００４３】
続いて、別の屋根板１４における他方側の上端縁１４ｂ（図１参照）を吊子２５の係止縁２７に係合させるようにタイトフレーム１５上に載せてから屋根板１４の上記上端縁１４ｂを馳締めし、取付け状態を保持する。すると、図３に示したように、タイトフレーム１５の受け部１９が一方の屋根板１４を受けるのはもちろんのこと、係止部材１６に設けた第２受け部３５が他方の屋根板１４を受ける。そして屋根板１４を受ける第２受け部３５から垂設した当接部３６は、タイトフレーム１５の規制部２２に上から当接する。
【００４４】
このため、上記他方の屋根板１４対して掛かる荷重は、タイトフレーム１５によってしっかりと支持されることになり、高い強度を得ることができる。
【００４５】
以上のように、タイトフレーム１５の規制部２２が係止部材１６の左右方向の位置を規制するので、係止部材１６を所望の正確な位置に固定することができる。このため、屋根１１の馳締め部を真っ直ぐにすることができ、外観美麗な屋根１１を得られる。
【００４６】
しかも、規制部２２は隆起しており左右方向での係止部材１６の位置ずれを阻止するので、係止部材１６を固定するボルト２３ナット３８に掛かる負荷を低減できる。つまり、係止部材１６に掛かる荷重を分担して支持できるので、固定強度を向上し、係止部材１６の安定性を良好にできる。
【００４７】
また、タイトフレーム１５に形成する規制部２２の高さは、受け部１９の高さよりも低いので、係止部材１６をタイトフレーム１５に対して固定する時に、係止部材１６を傾けた状態から係止部材固定部２０に載せることができ、固定作業は容易に行える。
【００４８】
さらに、係止部材１６に第２受け部３５を形成しているので、屋根板１４を受ける受け部１９とは反対側の係止部材固定部２０側においても屋根板１４を受けることができる。このため、屋根板取付け作業時に屋根板１４を踏み付けても屋根板１４が変形することを阻止し、屋根板１４の傷付きや、それに伴う腐蝕を防止できる。
【００４９】
しかも、その第２受け部３５の下に当接部３６を垂設して、掛かる荷重をタイトフレーム１５で受けるようにしているので、強度を高めることができるとともに、係止部材１６を締め付けているボルト２３ナット３８に対する負荷も低減できる。
【００５０】
また、係止部材１６を、吊子２５と、該吊子２５の被締結部２９に対して上から載置される補助金具２６とで構成し、補助金具２６に第２受け部３５と当接部３６を形成しているので、係止部材１６を吊子２５のみで構成する場合とは異なり、吊子２５と補助金具２６との間で役割を分担することができる。このため、上述のように補助金具２６の厚みを吊子２５のそれに比して厚くして、所望の強度を得られる。また、第２受け部３５や当接部３６を有する特別の吊子を用いずとも済むので、コスト等の点でも利点を有する。
【００５１】
このように、取付け金具の強度が高く、屋根板を変形させずにしっかりと支持できるので、強く、しかも外観美麗な屋根を得ることができる。
【００５２】
この発明は、上記一形態の構成のみに限定されるものではない。  
例えば吊子は、上記一形態では、いわゆる角ハゼタイプのものを使用した例を示したが、例えば図２に仮想線で示したような丸ハゼタイプのものなど、他の形態の吊子を用いるもよい。
【００５３】
また、タイトフレームは、ニ連タイプのものを例示したが、一山タイプのものであるも、三連以上のタイプのものであるもよい。
【００５４】
その他の例を、以下図面を用いて説明する。  
例えば、図５、図６に示したように、吊子２５と補助部材２６とからなる係止部材１６は予め一体化せずともよい。また、係止部材１６を構成する補助金具２６には、図５のように垂直重合部３２、水平重合部３３、立ち上がり重合部３４、第２受け部３５のみを形成するもよく、また図６に示したように、水平重合部３３のみを形成するもよい。
【００５５】
なお、上記構成と同一又は同様の部位については、同一の符号を付して、その詳しい説明を省略した。以下同様である。
【００５６】
図７は、係止部材１６の他の例を示し、吊子２５の被締結部２９における前後方向の長さを、タイトフレーム１５の係止部材固定部２０のそれと嵌合対応する長さに設定し、前後両側縁には、Ｌ字形の耳部３１を垂設している。そして、水平重合部３３のみで形成した補助金具２６の前後方向の両側縁には、図７に仮想線で示したように耳部３１の先を折り返したときに挟み込まれる垂下部３３ｂ，３３ｂを垂設している。このように構成すると、係止部材１６は耳部３１と垂下部３３ｂとにより前後方向にも位置決めされ、固定時の安定性をより一層高められる。
【００５７】
図８も、係止部材１６の他の例を示し、これは係止部材を吊子２５のみで構成した例である。すなわち、吊子２５の端縁部３０を上述例の吊子の場合よりも高く延設し、上端に第２受け部３５を一体に形成するとともに、該第２受け部３５から下に、当接部３６を垂設している。吊子２５の被締結部２９における前後方向の両側縁には、仮想線で示したように、上又は下へ折曲される補強縁３９を形成するとよい。
【００５８】
図９は、タイトフレーム１５における山形部１８頂部の他の例を示している。すなわち、受け部１９、連結部２１、係止部材固定部２０にかけて、前後方向の両側縁を下に折り曲げて、補強用のリブ４０を形成するもよい。図９（ａ）は、リブ４０を受け部１９から係止部材固定部２０のみに形成した例で、図９（ｂ）は、リブ４０をそれよりも広く形成した例を示している。このようなリブ４０を、上述した幅方向中間のリブ２４と組み合わせることによって、より高い強度を得ることができ、取付け金具全体しての強度を高められる。
【図面の簡単な説明】
【００５９】
【図１】屋根の構造を示す説明図。
【図２】要部の分解斜視図。
【図３】要部の断面図。
【図４】作用状態の正面図。
【図５】他の例に係る係止部材の分解斜視図。
【図６】他の例に係る係止部材の分解斜視図。
【図７】他の例に係る係止部材の分解斜視図。
【図８】他の例に係る係止部材の分解斜視図。
【図９】他の例に係るタイトフレームの部分斜視図。
【図１０】従来技術の説明図。
【符号の説明】
【００６０】
１１…屋根
１２…下地材
１３…屋根板取付け金具
１４…屋根板
１５…タイトフレーム
１６…係止部材
１７…固定部
１８…山形部
１９…受け部
２０…係止部材固定部
２２…規制部
２３…ボルト
２５…吊子
２６…補助金具
２７…係止縁
２９…被締結部
３５…第２受け部
３６…当接部
３８…ナット
【図１】
2005264648.tif 000003
【図２】
2005264648.tif 000004
【図３】
2005264648.tif 000005
【図４】
2005264648.tif 000006
【図５】
2005264648.tif 000007
【図６】
2005264648.tif 000008
【図７】
2005264648.tif 000009
【図８】
2005264648.tif 000010
【図９】
2005264648.tif 000011
【図１０】
2005264648.tif 000012